(57)【要約】      （修正有）【課題】日常生活の場になじむ外観を持ち、喫煙によって汚染された空気を効率的に浄化するとともに、装置に付着する汚染の問題を解決できる空気浄化装置を提供する。【解決手段】空気の吸引口と導入管１、吸引具２、吸引された空気の液体中への分散具３、液体層４および固体粒子や固体片の層５の組み合わせからなり、吸引口と導入管１が植物の花、葉、茎などを模した形状のものであり、吸引具２、吸引された空気の液体中への分散具３、液体層４および固体粒子や固体片の層５は，植木鉢や花瓶状の容器に収納された空気浄化装置。また、吸引口と導入管１を電気スタンドの笠を模したもの、あるいは頭に固定するつば状のものに取り付けた装置。【選択図】図１
0003135900.tif 000002
【実用新案登録請求の範囲】
【請求項１】
空気の吸引口と導入管１、吸引具２、吸引された空気の液体中への分散具３、液体層４および固体粒子や固体片の層５の組み合わせからなり、空気はその順に流れるが、各器具の配置は上から、空気の吸引口と導入管１、固体粒子や固体片の層５、吸引具２、そして吸引された空気の液体中への分散具３の順であって、分散具３を液体層４に浸漬可能であることを特徴とする喫煙時の煙を含む空気を浄化するための装置。
【請求項２】
請求項１において、固体粒子や固体片の層５と吸引された空気の液体中への分散具３の間に２ｍｍ以下の孔を開けた金属板あるいは金網６を設置したことを特徴とする喫煙時の煙を含む空気を浄化するための装置。
【請求項３】
請求項１あるいは２において、固体粒子や固体片の材料として、炭素粒、ゼオライト粒、檜などの木片の１つあるいは２つ以上が用いられていることを特徴とする喫煙時の煙を含む空気を浄化するための装置。
【請求項４】
請求項１、２あるいは３において、空気の吸引口と導入管１が植物の葉、花，茎などの形状を模したものであること、また吸引具２、吸引された空気の液体中への分散具３、液体層４、および固体粒子や固体片の層５が、植木鉢あるいは花瓶の形状を模した容器の中に納められていることを特徴とする喫煙時の煙を含む空気を浄化するための装置。
【請求項５】
請求項４において、植木鉢あるいは花瓶の形状を模した容器の外側に、本装置を設置する箇所との間で着脱可能な固定具７が取り付けられており、固定具７として吸盤、接着テープ、金具などが用いられていることを特徴とする喫煙時の煙を含む空気を浄化するための装置。
【請求項６】
請求項１、２あるいは３において、全体が電気スタンドの形を模したものであり、その笠の部分１４が煙を含む空気を集める役割をし、それに取り付けられた空気の吸引口と導入管１を通して煙を含む空気が吸引具２に導かれることを特徴とする喫煙時の煙を含む空気を浄化するための装置。
【請求項７】
請求項１、２あるいは３において、人間の頭部に固定されるつば状の部分１６が煙を含む空気を集める役割をして、それにとりつけられた吸引口と導入管１を通して煙を含む空気が吸引具２に導かれることを特徴とする喫煙時の煙を含む空気を浄化するための装置。
【考案の詳細な説明】
【技術分野】
【０００１】
本考案は、食堂、事務室、家庭などの屋内の空間あるいは自動車などの移動物の空間において、喫煙によって生じた汚染空気を浄化するための装置に関する。
【背景技術】
【０００２】
喫煙時に発生する煙は、周辺にいる人に迷惑を与えるとともに、その臭いのもとが壁などに付着して永く悪影響を及ぼすという問題がある。それを防止するためには喫煙できる場所を限定するという方策もあるが、食堂、事務室、家庭あるいはタクシーなどでは、その対応だけで問題がすべて解決するというわけにはいかない。できれば、喫煙する場所の近くで手軽、かつ効率的に空気を浄化し、かつその装置自体に付着、堆積する臭いの問題も解決できるようなものが求められている。また、喫煙場所においても、空間を外と遮断して、その閉鎖空間の空気を吸引、浄化するという方法がとられているが、その閉鎖空間内の壁などが喫煙に伴う付着物によって汚染され容易に取替えができないという問題がある。
【０００３】
特許文献１には、家庭用または事務用の調度品に空気浄化機能を付加し、調度品を使用することによりあわせて室内空気を浄化する方法が示されており、その調度品としてパソコンなど電気製品、観賞用水槽が挙げられている。しかし、その方法では調度品自体に煙成分が悪影響を及ぼすことが懸念され、それを簡単に取り替えられないので付着した臭いは蓄積されるおそれがある。
特許文献２には、パチンコやスロットマシン等の遊技台の上部に設置され、煙草の煙等を吸い込む吸気部、吸気された空気の中の比較的大きめの塵埃を吸着するプレフィルター、その後段に設置され除塵および吸着脱臭を行う多機能フィルター、さらにその後段に負イオン発生手段、浄化された空気の排気部からなる空気浄化装置が示されている。
また、特許文献３には、上面に上方向噴流の吹き出し口を設け、該吹き出し口と少し離れた煙草の載置部の近傍に該吹き出し口と風路により連結した吸い込み口を設け、該風路内に空気浄化装置と送風機を内臓した灰皿が示されている。
【特許文献１】特開平９−２０６５３０号公報
【特許文献２】特開２００６−２８１１６９号公報
【特許文献３】実開平５−３４８９７号公報  しかし、いずれの方法も本考案に要求されていることを十分に満足するものとは言い難い。
【考案の開示】
【考案が解決しようとする課題】
【０００４】
本考案は、日常生活の場になじむ外観を持ち、喫煙によって汚染された空気を効率的に浄化するとともに、その装置自体に付着した汚染や臭いに容易に対応できる空気浄化装置を提供することを課題にしている。
【課題を解決するための手段】
【０００５】
上記の課題を解決するための手段の第１は、空気の吸引口と導入管１、吸引具２、吸引された空気の液体中への分散具３、液体層４および固体粒子や固体片の層５の組み合わせからなり、空気はその順に流れるが、各器具の配置は上から、空気の吸引口と導入管１、固体粒子や固体片の層５、吸引具２、そして吸引された空気の液体中への分散具３の順であって、分散具３を液体層４に浸漬可能な装置とすることである。
【０００６】
手段の第２は、０００５において、固体粒子や固体片の層５と吸引された空気の液体中への分散具３の間に２ｍｍ以下の孔を開けた金属板あるいは金網６を設置することである。
【０００７】
手段の第３は０００５あるいは０００６において、固体粒子や固体片の材料として、炭素粒、ゼオライト粒、檜などの木片の１つあるいは２つ以上を用いることである。
【０００８】
手段の第４は、０００５、０００６あるいは０００７において、空気の吸引口と導入管１が植物の葉、花，茎などの形状を模したものであること、また吸引具２、吸引された空気の液体中への分散具３、液体層４および固体粒子や固体片の層５が、植木鉢あるいは花瓶の形状を模した容器の中に納められている装置とすることである。
【０００９】
手段の第５は、０００８において、植木鉢あるいは花瓶の形状を模した容器の外側に、本装置を設置する箇所との間で着脱可能な固定具７が取り付けられており、固定具として吸盤、接着テープ、金具などが用いられていることである。
【００１０】
手段の第６は、０００５、０００６あるいは０００７において、全体が電気スタンドの形を模したものであり、その笠の部分１４が煙を含む空気を集める役割をし、それに取り付けられた空気の吸引口と導入管１を通して煙を含む空気が吸引具２に導かれるようにすることである。
【００１１】
手段の第７は、０００５，０００６あるいは０００７において、人間の頭部に固定されるつば状の部分１６が煙を含む空気を集める役割をして、それにとりつけられた吸引口と導入管１を通して煙を含む空気が吸引具２に導かれるようにすることである。
【考案の効果】
【００１２】
０００５、０００６、０００７の手段によって、喫煙時の煙で汚染された空気を効率的に浄化することができる。０００８、０００９、００１０および００１１の手段によって、この装置に日常生活の場になじむ外観を持たせ生活の中で違和感なく用いることができるようになり、また、煙成分の付着によって汚れた吸引口や汚れた液体の取り替えを容易に行うことができる。
【考案を実施するための最良の形態】
【００１３】
考案を実施するための第１の形態として、装置の外観は鉢植えの花卉を模したものである場合を図１の（イ）に示す。（イ）およびその断面図である（ロ）に示すように、
花、葉および茎によって形成されている空気の吸引口および導入管１、電源、モーター、それによって回転するファンからなる吸引具２、径が２ｍｍ以下の孔を開けた中空容器からなる分散具３が連結管１１によって結ばれている。さらに導入管１の外部には、網状の容器に入れた固体粒子や固体片の層５が、着脱可能な状態で取り付けられている。これらが一体として移動させることができ、植木鉢を模した，例えば陶器で作られた容器８の中に、固体粒子あるいは固体片の層５の部分までが入った状態にセットされる。容器８の底の部分には直接あるいは必要によっては別の容器に入れられた液体層４が収められ、分散具３はその液体中に浸漬され、吸引具２より上の部分は液体層４よりも上の位置になるように設置される。
【００１４】
００１３で述べた器具に加えて，固体粒子や固体片の層５と吸引された空気の液体中への分散具３を連結する管１１の外部に、必要に応じて、２ｍｍ以下の孔を開けた金属板あるいは金網６を取り付けることが出来る。この金属板あるいは金網６は、液体層中に吹き込まれた空気によって液体から飛散した飛沫や，液体層の上に盛り上がった泡が固体粒子や固体片の層５に付着しないように，一方、空気は通過させるが液体部はそれより上部に移動することを遮断するという機能をする。
【００１５】
また、００１３で述べた器具に加えて必要に応じて、吸引具２に連結する導入管１に続いてフィルター層１２を設置することができる。これは、吸引された空気に含まれている粉塵や煙成分の1部を除去し、それらが吸引具２に付着するのを抑制する。
【００１６】
空気浄化装置として本考案の特色の１つは、生活の場で違和感を与えないで、喫煙者の近傍に吸引口を設けることによって、吸入空気の量が多くなくても効率的に浄化できるようにしたことである。そのための方法の１つが、図２に示すようなラッパ型の花の芯部分に吸引口および導入管１を設置することである。また、その花を模したもの以外に、葉を模した部分に孔と空間１５を設け、それに吸引口および導入管１を取り付けることもできる。本考案では、このように花，葉、そして茎を模したものをまとめて、吸引口および導入管１と呼ぶ。これは、吸引具２につながれて、喫煙によって生じた汚染空気を吸引する。
電源、モーターおよびファンからなる吸引具２において、電源としては電池あるいはコードを通して外部電源につなげることができる。空気浄化が必要な時点で、スイッチ１０をいれてモーターを回転させてファンを回し、汚染した空気の吸引を行う。容器８の形状が図１に示した場合にはファンは水平面で回転させるのが適している。なお、本装置を喫煙者のそばに置いて利用する時、幼児などが触って転倒などのトラブルを生じないように植木鉢などの形状を模した容器８の外側に、本装置を設置する箇所との間で着脱可能な固定具７が取り付けられている。この固定具７として吸盤、接着テープ、金具などを用いることができる。
【００１７】
電源スイッチ１０を入れて吸引具２を作動させると、吸引口および導入管１から引き込まれた空気は分散具３を通して液体層４の中にふき込まれ、分散具３に開けられた小さい孔から小気泡として液体中に分散される。液体はこの気泡の中に含まれている汚染成分を固定して空気を浄化する。この液体は水であってもよいが、石鹸分を添加すればさらに浄化機能を高めることができる。気泡がこの液体層４を通過することによって第１次の浄化を受けた空気は、固体粒子や固体片の層５を通過することによって第２次の浄化を受けて、室内空間に戻される。この固体粒子や固体片として用いるものとしては臭いの元になる汚染物を吸着によって除去する効果を持つものとして活性炭やゼオライト、さらに好ましい香りを付加する檜のような木片などから選んで用いることができる。また、この固体粒や固体片の層５は、吸引具２が直接、目に触れないようにするという効果も有している。
【００１８】
この処理を繰り返し行っていると、煙の中に含まれている汚染成分が装置の各所に付着して、その臭いの悪影響が出てくる。本装置の特色の１つは、効率的に汚染空気を浄化するとともに煙で汚染された器具の部分は、必要な時に簡単に取替えあるいは洗浄できるようにしたことである。まず、取り替え頻度がもっとも大きいのは，液体層４である。液体の取り替えは、空気の吸引口および導入１、固体粒子や固体片の層５、吸引具２、そして吸引された空気の液体中への分散具３を一体として引き出し、容器内部の液体を排出し、新たな液を加えることによって行われる。次に取り替え頻度が大きいのは、吸引口および導入管１、フィルター層１２、固体粒子や固体片を含む層５である。まず、吸引口および導入管１については、この表面に煙に含まれるタールなどが付着してくると、この取替えは、固体粒子や固体片の層５を取り付けた部分より下に設けた連結管１１をはずすことによって行うことができる。吸引口および導入管１が花卉を模した形状のものである場合には、シーズンに合わせて、その種類を選択することもできる。取り外したものは使い捨ててもよいが、回収し、洗浄して再使用することもできる。次にフィルター層１２は、導入管１を外して取り替える。固体粒子や固体片の層５の取り替えはその表面への汚染物質の付着，吸着が進んだ時点で行う。それまで使用されてきた固体粒子や固体片を捨て，新しいものに取り替える。なお、植木鉢を模した容器部分８が陶器製の場合には、その表面に付着した喫煙に起因する汚染は、水あるいは洗浄液で拭うことによって除去されるので、汚染に起因する取り替えは必要ではない。このように汚染のされ方によって異なる各部分の取り替え頻度に応じて、簡単に取替えができるようになっている。
【００１９】
この装置を１台、家庭などの生活の場で用いるという利用方法のほかに、複数台用いて公共場所で喫煙場を形成するのに用いることもできる。喫煙場の形成のためには、通常、壁などで空間を仕切って、その空間の空気をダクトで外に引き出し方法が用いられているが、その方法の問題点は、その仕切られた空間の内部表面に煙に含まれる油脂分などが付着して汚れが進行することである。この場合は、壁やダクト口を取り外して交換するしかない。それに対して、図６に示すように、本考案の植物の葉、花、茎などを模した吸引口および導入管１を有する空気浄化装置を複数台ならべて稼動させることにより、壁で仕切ることなく喫煙空間を形成し、かつこの装置の表面に、煙に含まれる油脂分などが付着して汚れが進行すると、個々の装置を取り出して、樹脂でできた吸引口および導入管１の部分を取り替えるとか、あるいは有機溶剤などで洗浄して付着物を取り除いて再使用することができる。個々の装置について言えば、家庭などの場で使用する場合との違いは、植物の葉、花、茎などを模した吸引口および導入管１が、空間の上部の天井に相当する部分にまで広がっていることだけであって、吸引口および導入管１以外の構成は００１３で述べたのと同じである。
【００２０】
本考案を実施するための第２の形態は、花卉を花瓶に挿した状況を模した形状とする場合である。この時に、花瓶を模したもの容器が上広型であれば、００１４〜００１７で述べたことがそのまま適用できる。一方、花瓶の形状を模した形状容器が下広型である場合には，図４に示すように、容器が水平面で２つに分割されるようになっている。この場合には、まず、容器の下の部分９−２に、樹脂製の容器に入れた液体層をセットする。ついで、容器の上の部分９−１は、分散具３、２ｍｍ以下の孔を開けた金属板あるいは金網６、吸引具２および固体粒子あるいは固体片を含む層５を連結管１１でつないで一体化したものの上からかぶせて、容器の上方から花、葉および茎を模した吸引口および導入管１に連結させ、それを容器の下の部分９−２の上に置くことでセットされる。その他のセット，作動方法、汚染部分の取り替えなどは００１３〜００１８で述べたことと同様に行うことができる。
【００２１】
本考案を実施するための第３の形態として、自動車の中で使用する場合の装置を図５に示す。この場合には、所有するスペースを小さくするために第１および第２の形態と異なり、植木鉢あるいは花瓶を模した容器部分の形状のものが、丸型ではなく平形１３になっている。また，容器部分の材質も陶器ではなく樹脂製が望ましい。この容器に吸盤のような固定具７を取り付けることによって、運転席の前部やシートに背に、必要時に取り付けて使用することができる。容器１３の形状が平形になることによって、吸引具中のファンの回転が水平面ではなく垂直面にすることが望ましい。これ以外のことは００１３〜００１８で述べたことがほとんどそのまま適用できる。
【００２２】
本考案を実施するための第４の形態として、空気の吸引口が電気スタンドの形状を模したものの例を図７に示す。この装置では、喫煙時に発生する煙を含む空気を効率的に吸引するとともに、家庭などの空間においても違和感がなく、かつ位置、高さなどを使用条件に応じて容易に調整できるという特徴を持っている。電気スタンドを模しているが、電球にあたる部分は必要ではない。その笠にあたる部分１４が煙を含むガスを集める役割し、それに吸引口と導入管１が取り付けられている。この笠の部分の高さは、笠を支える筒をスライドさせて調整し、また、その角度などは笠の部分を固定軸の周りに動かせて調整する。これによって、煙を効率的に吸引することが出来る状態にする。笠の部分は、全体を樹脂で作り、汚れがついたら廃棄あるいは有機溶剤で洗浄して再利用すること、あるいは内面に薄いビニールシートを貼り、汚れがついたらそのシートをはがして廃棄し、その後に新しいシートを貼るという方法などによって、汚れが気にならない状態で室内に置くことができる。この笠にあたる部分に空気を導く管が取り付けられており、その管が例えば笠を支える管の中を通って、吸引具につながっている。吸引具以降の構成は、００１３〜００１６で述べたのと同じである。
【００２３】
本考案を実施するための第５の形態として、空気の吸引口と導入管１が、人間の頭部に固定されるつば状の部分１６に取り付けられたものである例を図８に示す。頭部への固定は部分１７によって行われる。これは、吸引具の動力として電池を用いる小型の装置の場合に有効で、つば状のもの１６によって、煙を含む空気を少ない吸引量で効率的に処理できる。つば状の部分１６の取り付け角度は、特に吹き出した煙を集められるように調整できるようになっている。つば状の部分１６の、煙による汚れへの対応は、００２２で笠状のものについて述べたのと同じである。このつば状の部分１６に取り付けられた吸引口と導入管１が吸引具２につながっている。第１の実施形態の吸引口が植物を模した形状のもの、あるいは電気スタンドの形状を模したと比較すると、煙草を吸う人間自体が、吸引口および導入管１を支える役割をしていることだけが異なる。その他は、００１３〜００１８で述べたのとほぼ同じである。
【実施例１】
【００２４】
図１に示した室内用の植木鉢型の花卉を模した空気浄化装置である。植木鉢を模した容器８は陶器製で、上部の径が２０ｃｍ、下部の径が１６ｃｍ、高さが２２ｃｍで陶器製である。空気の吸引口は、花を模した部分に１つ、葉を模した部分に４つで、茎を模した部分が導入管を形成していて、樹脂製である。それに連結する部分に、繊維状樹脂の樹脂で作ったフィルター層１２が取り付けられている。  吸引具２は  樹脂製の容器に収められ、モーター出力は１００Ｗで、ファンは径１００ｍｍで水平型、スィッチは植木鉢を模した容器８の側面に取り付けられている。分散具３は、径が５０ｍｍ，高さ８ｍｍ，厚さ１ｍｍのステンレス製で周辺部の表面に１ｍｍの孔が２０個開けられている。液体層４は  水の石鹸を２重量％混ぜたものである。金網６は  網目が１．５ｍｍで直径１８０ｍｍに切り取ったステンレス製である。  固体粒子や固体片の層は、活性炭  平均径１ｍｍのものを２０ｇ、平均径２ｍｍのゼオライト粒を５０ｇ、それに、檜の削り屑を１０ｇ混ぜたものである。この装置を喫煙者の前、約１ｍの所に設置して、喫煙開始から喫煙終了後５分間、モーターを作動させた。液体の取り替えは７日に１回、吸引口、フィルター部、および固体粒および固体粒子の層の取り替えは３ヶ月に1回行った。
【実施例２】
【００２５】
図４に示した室内用の花瓶型の花卉を模した喫煙時の煙を含む空気を浄化するための装置である。花瓶を模した部分９は陶器製で、上部９−１と下部９−２の２つに分割できる。最上部の径は８ｃｍ、胴部の径は１８ｃｍ、底部の径が１２ｃｍ、高さが２２ｃｍである。空気吸引口１は、花を模した部分が１つ、葉を模した部分３つ、それらを結ぶ茎を模したものが導入管であり、樹脂製である。以下の部分の構成は図１の植木鉢を模した部分の内部と同じである。吸引された空気は、繊維状樹脂で作ったフィルター層１２を通して、吸引具２につながっている。吸引具２の電源は電池で、スイッチ１０は花瓶を具した容器９の外壁面に取り付けられている。モーター出力は５Wで、ファンの径は７０ｍｍで横型である。分散具３は径が５０ｍｍ、高さ８ｍｍ、厚さ１ｍｍのステンレス製で周辺部の表面に１ｍｍの孔が２０個開けられている。液体層４は  水の石鹸を２重量％混ぜたものである。金網６は  直径１２０ｍｍに切り取ったステンレス製、また固体粒子や固体片の層５は、平均径１ｍｍの活性炭を２０ｇ、平均径２ｍｍのゼオライト粒を１０ｇ、それに、檜の削り屑を２ｇ混ぜたものである。この装置を喫煙者の前の机上、５０ｃｍの所に設置して、喫煙開始から喫煙終了後５分の間、モーターを作動させた。液体の取り替えは７日に１回、吸引口、フィルター部、および固体粒および固体粒子の層の取り替えは３ヶ月に1回行った。
【実施例３】
【００２６】
図６に示したように樹木が植木鉢に植えられた状況を模した空気浄化装置を約７０ｃｍごとに並べて設置し、駅の構内に、５ｍ×５ｍ×高さ３ｍの喫煙空間を形成した。植木鉢を模した容器８は陶器製で、上部の径が３２ｃｍ、下部の径が２８ｃｍ、高さが３４ｃｍで陶器製である。樹木を模した部分は樹脂製で、高さが３ｍのものと、高さは同じであるがさらに先端端の部分１００ｃｍが９０℃に曲っているものの２種類からなる。空気の吸引口は、この樹木の葉を模した部分に各１５個設けられ、幹を模した導入管に連結されていている。植木鉢を燃した容器の中に収められた吸引具２などの構成は図１と同じである。吸引具２の前に、繊維状樹脂の樹脂で作ったフィルター層１２が設置されている。吸引具２は  、モーター出力は１５Ｗ、ファンは径８０ｍｍで水平型、スィッチは植木鉢の側面に取り付けられている。分散具３は、径が５０ｍｍ，高さ８ｍｍ，厚さ１ｍｍのステンレス製で周辺部の表面に１ｍｍの孔が２０個開けられている。液体層４は  水の石鹸を２重量％混ぜたものである。金網６は  網目が１．５ｍｍで、直径２００ｍｍに切り取ったステンレス製である。  固体粒子あるいは固体片の層５として、平均径１ｍｍの活性炭を３０ｇ、平均径２ｍｍのゼオライト粒を７０ｇ、それに、檜の削り屑を２０ｇ混ぜたものである。液体の取り替えは７日に１回、吸引口、フィルター部、および固体粒子や固体片の層の取り替えは３ヶ月に1回行った。また、樹木を模した部分は、１年に１回、取り外して有機溶剤で洗浄した後、再利用した。
【実施例４】
【００２７】
図５に示した乗用車用の平形花瓶に挿した花卉を模した喫煙時の煙を含む空気を浄化するための装置である。平形花瓶１３の部分は樹脂製で上広型である。この上部の断面は１５ｃｍ×４ｃｍ、下部の断面は１４ｃｍ×３．５ｃｍ，高さが１２ｃｍである。固定具７は吸盤であってシート壁面に取り付けられる。吸引口および導入管１については。まず吸引口は、花を模した部分に１つ、葉を模した部分に３つと設けられ、それらを結ぶ茎を模した部分が導入管で、樹脂製である、この導入管の次に、繊維状樹脂の樹脂で作ったフィルター層１２がある。吸引具２の電源は車内電源で、スイッチ１０は平形の容器１３の外壁面に取り付けられている。モーター出力は５０Ｗで、ファンの径は８０ｍｍで縦型である。分散具３は、厚さ１ｍｍのステンレス鋼板で作った１０ｍｍ×５０ｍｍ，高さ１０ｍｍの箱で、側面に１ｍｍの孔が２０個開けられている。液体層４は水の石鹸を２重量％混ぜたものである。金網６はステンレス製で、  網目が１．５ｍｍのである。固体粒子や固体片の層５は、活性炭  平均径１ｍｍのものを２０ｇ、平均径２ｍｍのゼオライト粒を１０ｇ、それに、檜の削り屑を２ｇ混ぜたものを金網の容器に収めている。この装置を喫煙者の前面に設置して、喫煙開始から喫煙終了後５分間、モーターを作動させた。液体の取り替えは７日に１回、吸引口、フィルター部、および固体粒および固体粒子の層の取り替えは３ヶ月に1回行った。
【実施例５】
【００２８】
図７に示した室内用の、電気スタンドの形を模した空気浄化装置である。空気の吸引口および導入管１は笠を模した部分１４に取り付けられており、笠の部分下部の直径３０ｃｍ、上部の直径２０ｃｍ、高さが２０ｃｍであって、上部は閉じた樹脂性のものであって、その中心に吸引口が取り付けられている。この笠の部分は、高さおよび角度を調整できる。吸引された空気が通る導入管は、スタンドの支柱部を通って、吸引具２に連結されている。そのスタンドの支柱の台部にプラスチック製で、径が２２ｃｍ、高さが２５ｃｍでの容器が取り付けられていて、その中に、図１に示した植木鉢部と同じように吸引具２などが収められている。吸引具２に前に、繊維状樹脂の樹脂で作ったフィルター層１２が取り付けられている。  吸引具２は  樹脂製の容器に収められ、モーター出力は１００Ｗ、ファンは径１００ｍｍで水平型、スィッチは植木鉢の側面に取り付けられている。分散具３は、径が５０ｍｍ、高さ８ｍｍ，厚さ１ｍｍのステンレス製で周辺部の表面に１ｍｍの孔が２０個開けられている。液体層４は  水の石鹸を２重量％混ぜたものである。金網６は  直径２００ｍｍに切り取ったステンレス製で、網目は１．５ｍｍである。  固体粒子および固体片の層５として、活性炭  平均径１ｍｍのものを２０ｇ、平均径２ｍｍのゼオライト粒を５０ｇ、それに、ひのきの削り屑を１０ｇ混ぜたものが金網の容器に収められている。喫煙者の前約５０ｃｍ所に設置して、笠の部分１４を、３０度傾けた状態で、喫煙開始から喫煙終了後５分間、モーターを作動させた。液体の取り替えは７日に１回、吸引口、フィルター部、および固体粒や固体粒子の層の取り替えは３ヶ月に1回行った。また、笠に部分の内部は、６ヶ月に１回、有機溶剤に浸した脱脂綿で拭くことによって付着物を取り除いた。
【実施例６】
【００２９】
図８に示した空気吸引口が人間の頭部に固定できるつば状の空気浄化装置である。
つばの部分１６は樹脂性で、長さが最大３５ｃｍであって、角度が自由に調整できるようになっている。その先端から５ｃｍのところに吸引口があり、吸引された空気が通る導入管は、床に置かれたプラスチック製容器中の吸引具２につながっている。この容器は直径２２ｃｍ、高さ２５ｃｍで、その中には図１の植木鉢を模した部分と同様のものが収められている。吸引具２の前に、繊維状樹脂の樹脂で作ったフィルター層１２がある。  吸引具２は電池で動くモーターで出力は５Ｗ、ファンは径５０ｍｍで水平型、スィッチは植木鉢の側面に取り付けられている。分散具３は、径が５０ｍｍ、高さ８ｍｍ、厚さ１ｍｍのステンレス製で周辺部の表面に１ｍｍの孔が２０個開けられている。液体層４は水の石鹸を２重量％混ぜたものである。金網６は直径２００ｍｍに切り取ったステンレス製で、網目は１．５ｍｍである。  固体粒子や固体へ片の層５として、活性炭  平均径１ｍｍのものを２０ｇ、平均径２ｍｍのゼオライト粒を５０ｇ、それに、ひのきの削り屑を１０ｇ混ぜたものが金網製容器に収められている。喫煙時に喫煙者はつば状のものを固定のための部分１７を介して頭に固定し、スィッチを入れてモーターを作動させる。液体の取り替えは７日に１回、吸引口、フィルター部、および固体粒および固体粒子の層の取り替えは３ヶ月に1回行った。つば状の部分１６の内側は、６ヶ月に１回、有機溶剤に浸した脱脂綿で拭くことによって付着物を取り除いた。
【産業上の利用可能性】
【００３０】
本考案は、器具の構成要素を同じにして、吸引口および導入管１の外見を変えたものに応用することができる。とくに生活の場で違和感がないように、日常生活で使用する器具の形を模したものとして、机上等に置く写真立て、額縁や本立て、観賞用水槽、電話機、時計、ラジオ等の情報器具、机、パーテーションなどがあげられる。
【図面の簡単な説明】
【００３１】
【図１】（イ）植物が植木鉢に植えられた形を模した空気浄化装置の例の俯瞰図を示す。      （ロ）同じくその断面図の例を示す。
【図２】植物の花、葉、茎の形を模した吸引口と導入管１の例を示す。
【図３】吸引具および吸引された空気の液体中への分散具の例の断面図を示す。
【図４】花が花瓶に挿された状況を模した空気浄化装置の例を示す。
【図５】自動車の中に取り付け用の空気浄化装置の例を示す。
【図６】植物が植木鉢に植えられた状況を模した空気浄化装置を複数台用いて、公共場所などでの喫煙空間を形成する場合の例を示す。
【図７】電気スタンドの形を模した空気浄化装置の例を示す。
【図８】空気の吸引口と導入管１が人間の頭部に固定できるつば状の部分１７に取り付けられた空気浄化装置の例を示す。
【符号の説明】
【００３２】
１．吸引口と導入管
２．吸引具
３．吸引された空気の液体中への分散具
４．液体層
５．固体粒子や固体片の層
６．径が２ｍｍ以下の孔を開けた金属板あるいは金網
７． 固定具（吸盤など）
８．植木鉢を模した容器
９．花瓶を模した容器
９−１  花瓶を模した容器の上の部分
９−２  花瓶を模した容器の下の部分
１０．スイッチ
１１．連結管
１２．フィルター層
１３．平形の容器
１４．笠状の部分
１５．空間
１６．つば状の部分
１７．頭部に固定するための部分
【図１】
0003135900.tif 000003
【図２】
0003135900.tif 000004
【図３】
0003135900.tif 000005
【図４】
0003135900.tif 000006
【図５】
0003135900.tif 000007
【図６】
0003135900.tif 000008
【図７】
0003135900.tif 000009
【図８】
0003135900.tif 000010